(57)【要約】【課題】  各種再生モードでの動作管理のできる管理領域を有する記録媒体、及びその管理領域を用いた特定の再生モード動作を実行できる再生装置の提供。【解決手段】  プログラム再生やマルチアクセス再生などの特定再生モードに関する動作制御情報を記録媒体においてリスト情報として記録しておく。これにより特定再生モードについて一度設定した状態や、その再生動作の際の細かい制御動作のデータを保存し、再生装置では必要に応じてその動作状態を繰り返し実行できるようにする。【選択図】        図１３
2005322411.tif 000002
【特許請求の範囲】
【請求項１】
主データがトラック単位で記録される主データ領域と、この主データ領域内での主データの記録又は再生動作の管理を行なうための管理情報が記録される管理領域が設けられ、
該管理領域における１つの管理情報ユニット内に、複数の特定再生モード管理領域が形成され、
各特定再生モード管理領域には、それぞれ或る特定の再生モードでの動作に関し、少なくとも、再生すべき各トラック及びその各トラックについての再生時の動作制御情報を有するリスト情報が１又は複数個記録されているとともに、
前記特定再生モード管理領域の１つとして、１又は複数の特定トラックを再生操作に応じて即時に再生出力できるようにするマルチアクセス再生モードに関し、少なくとも、マルチアクセス再生モードでの再生可能とすべき各トラックの情報及びその各トラックについての再生時の動作制御情報を有するリスト情報が１又は複数個記録されている特定再生モード管理領域が形成されている
ことを特徴とする記録媒体。
【請求項２】
主データがトラック単位で記録される主データ領域と、この主データ領域内での主データの記録又は再生動作の管理を行なうための管理情報が記録される管理領域が設けられ、この管理領域における１つの管理情報ユニット内に、複数の特定再生モード管理領域が形成され、各特定再生モード管理領域には、それぞれ或る特定の再生モードでの動作に関し、少なくとも、再生すべき各トラック及びその各トラックについての再生時の動作制御情報を有するリスト情報が１又は複数個記録されている記録媒体に対し、管理情報の読込及び読み込んだ管理情報に基づいた主データの再生動作を実行することのできる再生装置として、
或る特定再生モード管理領域で動作管理される特定再生モードの動作を実行する場合に、その特定再生モード管理領域に記録された１又は複数のリスト情報のうちの或るリスト情報に基づいて、その特定再生モードでの再生動作を実行させることのできる再生制御手段を備え、
或る特定再生モード管理領域において、１又は複数の特定トラックを再生操作に応じて即時に再生出力できるようにするマルチアクセス再生モードに関するリスト情報が記録されている記録媒体に対して、マルチアクセス再生モードの動作を実行する場合に、
前記再生制御手段は、マルチアクセス再生モードに関する特定再生モード管理領域に記録された１又は複数のリスト情報のうちの或るリスト情報に基づいて、マルチアクセス再生モードでの再生対象とするトラックに関する即時再生出力のための所要処理及び各トラックの再生時の動作制御を行なうこと
を特徴とする再生装置。
【請求項３】
前記再生制御手段は、前記制御情報に記録された各トラックの先頭から所定時間分のデータを記憶手段に記憶させるように制御することを特徴とする請求項２に記載の再生装置。
【発明の詳細な説明】
【技術分野】
【０００１】
本発明は例えば音声データなどを主データとして記録する記録媒体及びそれに対応して再生動作を行なうことのできる再生装置に関するものである。
【背景技術】
【０００２】
各種記録媒体及びそれらに対応する記録再生装置が開発されているが、特にミニディスクシステムとして知られているように、ユーザーが自由に音楽データ等を記録できるものも普及している。
【０００３】
例えばこのミニディスクシステムの場合は、ディスク上でユーザーが録音を行なった領域や、まだ何も記録されていない領域を管理するために、音楽等の主データとは別に、ユーザーＴＯＣ（以下Ｕ−ＴＯＣという）という管理情報が記録されている。
そして記録装置は、このＵ−ＴＯＣを参照しながら記録を行なってもよい領域、即ちフリーエリアのアドレスを確認し、そこに音声データを記録していく。
【０００４】
また再生装置は、Ｕ−ＴＯＣから再生すべき楽曲等の音声が記録されたトラックのアドレスを把握し、所要の再生動作を行なう。
つまり、Ｕ−ＴＯＣには録音された各楽曲等がトラックという単位で管理され、そのスタートアドレス、エンドアドレス等が記される。また何も録音されていない未記録領域（フリーエリア）についても、そのスタートアドレス、エンドアドレス等が記される。
【発明の開示】
【発明が解決しようとする課題】
【０００５】
ところで再生装置としては単に収録されたトラックを順番に再生していくだけでなく、多様な再生モードが用意されている。例えばミニディスクシステムでは、その再生装置には、トラックナンバ順に通常の再生動作を行なう連続再生モードのほかに、プログラム再生モード、シャッフル再生モード、マルチアクセス再生モードなどがある。
【０００６】
プログラム再生モードとは、ユーザーが任意にトラック順（曲順）を設定することで、その順序で再生が行なわれるモードである。
シャッフル再生モードとは、再生装置内での例えば乱数発生的な動作でランダムにトラックナンバを選択していき、その選択されたトラックを再生させるモードである。
【０００７】
マルチアクセス再生モードとは、例えば『ポン出し再生』とも呼ばれるもので、特定のトラックについて、再生操作に応じて即座に再生音声を出力できるようにするモードである。ここでいう『即座』とは、通常のトラック再生動作に必要となる光学ヘッドの立ち上げやアクセスに要する時間をも除いたタイミングのことをいっており、ほぼ再生操作と同時タイミングで再生音が出力されるものである。
【０００８】
例えばトラック＃１〜トラック＃５がマルチアクセス再生モードの動作対象とされたとすると、各トラックの先頭の数秒分の音声データを予めＤ−ＲＡＭなどのメモリに取り込んでおくようにする。すると、例えばトラック＃３の再生操作が行なわれた場合に、まずメモリに取り込んだトラック＃３の先頭のデータを読み出すことで、ディスクに対する再生立ち上げが完了していない時点で再生音声を出力することができる。そしてメモリからの再生データが音声として出力されている間にディスク再生動作の立ち上げ及びアクセスを完了させ、続きのデータを読み出すことで、そのまま再生音声の出力を適正に継続できるものである。  このマルチアクセス再生モードは、操作に応じた即時再生音出力が行なわれるため、例えば演劇、放送などで用いる効果音を再生させる場合など、再生音声の出力タイミングが重要となる場合に有用な再生モードとなる。
【０００９】
なお本明細書では、ディスクに収録されるトラックについては、第１トラック〜第ｎトラックまでを、上記のように『トラック＃１』〜『トラック＃ｎ』というように『＃』を付して表記する。またトラックナンバとして単に『＃２』というように表記する場合もある。
【００１０】
ところで、プログラム再生モードとマルチアクセス再生モードについては、ユーザーがあらかじめトラック順序や対象トラックを設定することになる。
例えばプログラム再生モードの動作としては、まずユーザーがトラック再生順序（曲順）を指定していく。そしてそのトラック再生順序は再生装置内のコントローラ（マイクロコンピュータ）によって保持され、ユーザーの再生操作に応じて、コントローラは指定された曲順どおりにディスクの再生動作を行なっていく。
【００１１】
またマルチアクセス再生モードでは、ユーザーが対象トラックを指定していく。そしてその対象トラックナンバは再生装置内のコントローラによって保持され、コントローラは全対象トラックについて、先頭の数秒分の音声データをメモリに取り込む。その後ユーザーがあるトラックの再生操作を行なうことに応じて、即座にそのトラックの音声出力を行なう。
【００１２】
ところが、このようにプログラム再生モードやマルチアクセス再生モードでの動作が行なわれた後、他のモードに切り換えられたり、ディスクがイジェクトされたり、さらには電源オフとされた場合などは、ユーザーの設定したトラック再生順序や対象トラックのデータは失われることになる。従って、再度そのディスクを装填して前回と同様のプログラム再生やマルチアクセス再生を行なおうとしても、ユーザーは再度曲順や対象トラックの設定をやり直さなければならない。特に何度も同様のプログラム再生やマルチアクセス再生を行なう場合には、ユーザーは非常な面倒を感じることになる。
【００１３】
また、従来実行されていたプログラム再生モードやマルチアクセス再生モードにおいては、単に曲順や対象トラックを設定できるのみの機能であり、その再生時に実行することが好ましい細かい再生動作制御について設定することはできなかった。このためプログラム再生モードやマルチアクセス再生モードなどの特殊再生時に、各トラックの再生に関して、より多様な動作制御を実行できるようにすることが求められている。
【課題を解決するための手段】
【００１４】
本発明はこのような問題点にかんがみてなされたもので、各種再生モードでの動作管理を行なうことのできる特定再生モード管理領域を有する記録媒体、及びその特定再生モード管理領域を用いた特定の再生モード動作を実行できる再生装置を提供することを目的とする。
【００１５】
このため記録媒体としては、主データがトラック単位で記録される主データ領域と、この主データ領域内での主データの記録又は再生動作の管理を行なうための管理情報が記録される管理領域が設けられ、該管理領域における１つの管理情報ユニット内に、複数の特定再生モード管理領域が形成され、各特定再生モード管理領域には、それぞれ或る特定の再生モードでの動作に関し、少なくとも、再生すべき各トラック及びその各トラックについての再生時の動作制御情報を有するリスト情報が１又は複数個記録されているとともに、前記特定再生モード管理領域の１つとして、１又は複数の特定トラックを再生操作に応じて即時に再生出力できるようにするマルチアクセス再生モードに関し、少なくとも、マルチアクセス再生モードでの再生可能とすべき各トラックの情報及びその各トラックについての再生時の動作制御情報を有するリスト情報が１又は複数個記録されている特定再生モード管理領域が形成されているようにする。
【００１６】
さらに、主データがトラック単位で記録される主データ領域と、この主データ領域内での主データの記録又は再生動作の管理を行なうための管理情報が記録される管理領域が設けられ、この管理領域における１つの管理情報ユニット内に、複数の特定再生モード管理領域が形成され、各特定再生モード管理領域には、それぞれ或る特定の再生モードでの動作に関し、少なくとも、再生すべき各トラック及びその各トラックについての再生時の動作制御情報を有するリスト情報が１又は複数個記録されている記録媒体に対し、管理情報の読込及び読み込んだ管理情報に基づいた主データの再生動作を実行することのできる再生装置として、或る特定再生モード管理領域で動作管理される特定再生モードの動作を実行する場合に、その特定再生モード管理領域に記録された１又は複数のリスト情報のうちの或るリスト情報に基づいて、その特定再生モードでの再生動作を実行させることのできる再生制御手段を備え、或る特定再生モード管理領域において、１又は複数の特定トラックを再生操作に応じて即時に再生出力できるようにするマルチアクセス再生モードに関するリスト情報が記録されている記録媒体に対して、マルチアクセス再生モードの動作を実行する場合に、前記再生制御手段は、マルチアクセス再生モードに関する特定再生モード管理領域に記録された１又は複数のリスト情報のうちの或るリスト情報に基づいて、マルチアクセス再生モードでの再生対象とするトラックに関する即時再生出力のための所要処理及び各トラックの再生時の動作制御を行なうよう構成される。
【００１７】
すなわち本発明では、プログラム再生やマルチアクセス再生などの特定再生モードに関する動作制御情報を記録媒体においてリスト情報として記録しておくようにしておき、これによって特定再生モードについて一度設定した状態や、その再生動作の際の細かい制御動作が保存され、必要に応じてその動作状態を繰り返し実行させることができるようになる。
【発明の効果】
【００１８】
以上説明したように本発明では、記録媒体における管理領域内の１つの管理情報ユニット内に、複数の特定再生モード管理領域を形成し、各特定再生モード管理領域には、それぞれ或る特定の再生モードでの動作に関しての再生すべき各トラック及びその各トラックについての再生時の動作制御情報を有するリスト情報を１又は複数個記録されるようにしている。そして再生装置では、或る特定再生モード管理領域で動作管理される特定再生モードの動作を実行する場合に、その特定再生モード管理領域に記録された１又は複数のリスト情報のうちの或るリスト情報に基づいて、その特定再生モードでの再生動作を実行させる。
【００１９】
すなわち本発明では、プログラム再生やマルチアクセス再生などの特定再生モードに関する動作制御情報を記録媒体においてリスト情報として記録しておくようにしておくことで、これらの特定再生モードについて一度設定した状態や、その再生動作の際の細かい制御動作をディスク上の管理情報として保存しておくことができ、特定の再生モードの動作を実行させるたびにユーザーが動作設定を行なう必要がなく、ユーザーの手間は大幅に軽減されるという効果がある。
【００２０】
また或る特定再生モードについて複数のリストを記録できるため、多数のリストを保存しておき、状況に応じて選択的にその特定再生モードの動作を実行させることができる。
【００２１】
またリストには各トラックについての再生時の動作制御情報も記録できるようにしているため、より細かい再生動作状態の設定を行なうことができ、かつ実際の再生時にはその再生動作状態に自動的に制御されるため、再生時の状況に応じた多様な再生態様の設定及び自動制御を行なうことができ、操作性の向上、記録媒体の使用態様の多様化及び有効利用、演劇や放送などにおいて有効な音響効果再生などが実現できる。
【発明を実施するための最良の形態】
【００２２】
以下、図１〜図１５により本発明の各種の実施の形態を説明する。この例は記録媒体として音声データを記録再生することができる光磁気ディスク（ミニディスク）をあげ、また再生装置としては、ミニディスク記録再生装置を例にあげる。説明は以下の順序で行なう。
１．記録再生装置の構成
２．Ｕ−ＴＯＣセクター０
３．Ｕ−ＴＯＣセクター６
４．Ｕ−ＴＯＣセクター６の管理例Ｉ
５．Ｕ−ＴＯＣセクター６の管理例ＩＩ
６．プログラム再生モードの動作
７．マルチアクセス再生モードの動作
【００２３】
１．記録再生装置の構成
まず図１〜図３によりミニディスク記録再生装置の構成について説明する。
図１は記録再生装置の外観例を示すものである。
この記録再生装置の前面パネルには液晶表示装置等による表示部２０が形成されている。この表示部２０には記録／再生しているディスクの動作状態、トラックナンバ、記録時間／再生時間、編集動作状態、再生モード等が示される。さらにミニディスクシステムではディスクに文字情報が記録できるが、その文字情報の入力の際の入力文字の表示や、ディスクから読み出した文字情報の表示などが実行される。
【００２４】
電源キー３３は記録再生装置の電源オン／オフの操作のために設けられる。
また前面パネルには記録再生装置にディスクを挿入し、またイジェクトキー３４の操作に応じてディスクが脱却されるディスク挿入部２２が設けらる。
【００２５】
またこの前面パネルには記録／再生に関する操作のための各種操作手段が設けられる。すなわち、再生キー２４、一時停止キー２３、停止キー２５、録音キー２６、頭だしアクセス動作を実行させるＡＭＳ操作ダイヤル２７（以下、ジョグダイヤルという）、高速再生動作を実行させるサーチキー２８などが設けられる。これらはいわゆる音声の記録／再生動作に関する基本的な操作キーとなる。ジョグダイヤル２７は、その回転操作により、ＡＭＳ（頭だしサーチ）を指示する操作部となるが、エディット（編集）モードの１つである文字入力モード（ディスクネーム入力モードもしくはトラックネーム入力モード）においては、ジョグダイヤル２７の回転操作が、文字選択のためのインクリメント／デクリメント操作となる。
【００２６】
また同じくそれぞれエディットモードの１つであり、後述するプログラム設定モードやマルチアクセス設定モードでは、ジョグダイヤル２７の回転操作が、トラックナンバ選択の際のインクリメント／デクリメント操作となる。さらに、後述するプログラム再生モード、マルチアクセス再生モードにおいては、リストの選択のためのインクリメント／デクリメント操作にも用いられる。
【００２７】
また、ジョグダイヤル２７は押圧操作可能とされ、この押圧操作はディスクネーム入力モード、トラックネーム入力モード、プログラム設定モード、マルチアクセス設定モードなどにおけるエンター操作として機能する。さらにジョグダイヤル２６は押圧操作は、再生キー２４の操作と同様に再生操作を兼ねるようにしてもよい。
【００２８】
これらの操作手段とともに、数字キー３９が設けられる。
この数字キー３９は例えば『１』キーから『２５』キー、及び２６以上の数字を入力するための『＞２５』キーが設けられる。
数字キー３９は、再生させるトラックナンバをダ
イレクトに選択する場合や、プログラム設定モード、マルチアクセス設定モードでのトラックナンバ入力、さらにはプログラム再生モード、マルチアクセス再生モードでのリストの選択に用いることができる。またマルチアクセス再生モードにおいて再生対象となる各トラックが各数字キーに割り当てられることで、数字キーが各トラックの再生キーとなる。これらについては後述する。
【００２９】
エディットモードの操作のためのキーとしてエディットキー２９、イエスキー３０、キャンセルキー３１が設けられる。
エディットキー２９は各種エディットモードの呼出し及び終了の操作のために用いられ、またイエスキー３０、キャンセルキー３１がエディット中の操作に用いられる。
【００３０】
エディットモードとしては、各トラックに対して曲名などの文字を入力するトラックネーム入力モード、ディスクに対して名称などの文字を入力するディスクネーム入力モード、登録されている文字情報を消去するネームイレーズモード、１つのトラックを複数のトラックに分割するディバイドモード、複数のトラックを１つのトラックに連結するコンバインモード、トラックを消去するイレーズモード、プログラム再生の登録を行なうプログラム設定モード、マルチアクセス再生の登録を行なうマルチアクセス設定モードなどがある。
【００３１】
再生モードの操作のためのキーとして連続再生キー３５、プログラムキー３６、シャッフルキー３７、マルチアクセスキー３８が設けられる。
これらのキーを操作することで、再生モードが、連続再生モード、プログラム再生モード、シャッフル再生モード、マルチアクセス再生モードのいずれかが設定される。
【００３２】
なお本例では説明上これらの操作手段を記録再生装置の前面パネルに配するようにしているが、例えば記録再生装置を赤外線などによるリモートコマンダーにより操作可能とし、そのリモートコマンダー上にこれらの操作手段を設けるようにしてもよい。
【００３３】
図１のようなミニディスク記録再生装置の内部構成を図２で説明する。
音声データが記録されている光磁気ディスク１は、スピンドルモータ２により回転駆動される。そして光磁気ディスク１に対しては記録／再生時に光学ヘッド３によってレーザ光が照射される。
【００３４】
光学ヘッド３は、記録時には記録トラックをキュリー温度まで加熱するための高レベルのレーザ出力を行ない、また再生時には磁気カー効果により反射光からデータを検出するための比較的低レベルのレーザ出力を行なう。
このため、光学ヘッド３にはレーザ出力手段としてのレーザダイオード、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
【００３５】
また、ディスク１を挟んで光学ヘッド３と対向する位置に磁気ヘッド６ａが配置されている。磁気ヘッド６ａは供給されたデータによって変調された磁界を光磁気ディスク１に印加する動作を行なう。
光学ヘッド３全体及び磁気ヘッド６ａは、スレッド機構５によりディスク半径方向に移動可能とされている。
【００３６】
再生動作によって、光学ヘッド３によりディスク１から検出された情報はＲＦアンプ７に供給される。ＲＦアンプ７は供給された情報の演算処理により、再生ＲＦ信号、トラッキングエラー信号ＴＥ、フォーカスエラー信号ＦＥ、グルーブ情報（光磁気ディスク１にプリグルーブ（ウォブリンググルーブ）として記録されている絶対位置情報）ＧＦＭ等を抽出する。
抽出された再生ＲＦ信号はエンコーダ／デコーダ部８に供給される。また、トラッキングエラー信号ＴＥ、フォーカスエラー信号ＦＥはサーボ回路９に供給され、グルーブ情報ＧＦＭはアドレスデコーダ１０に供給される。
【００３７】
サーボ回路９は供給されたトラッキングエラー信号ＴＥ、フォーカスエラー信号ＦＥや、マイクロコンピュータにより構成されるシステムコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御を行ない、またスピンドルモータ２を一定線速度（ＣＬＶ）に制御する。
【００３８】
アドレスデコーダ１０は供給されたグルーブ情報ＧＦＭをデコードしてアドレス情報を抽出する。このアドレス情報はシステムコントローラ１１に供給され、各種の制御動作に用いられる。
また再生ＲＦ信号についてはエンコーダ／デコーダ部８においてＥＦＭ復調、ＣＩＲＣ等のデコード処理が行なわれるが、このときアドレス、サブコードデータなども抽出され、システムコントローラ１１に供給される。
【００３９】
エンコーダ／デコーダ部８でＥＦＭ復調、ＣＩＲＣ等のデコード処理された音声データ（セクターデータ）は、メモリコントローラ１２によって一旦バッファメモリ１３に書き込まれる。なお、光学ヘッド３によるディスク１からのデータの読み取り及び光学ヘッド３からバッファメモリ１３までの系における再生データの転送は1.41Mbit/secで、しかも通常は間欠的に行なわれる。
【００４０】
バッファメモリ１３に書き込まれたデータは、再生データの転送が0.3Mbit/sec となるタイミングで読み出され、エンコーダ／デコーダ部１４に供給される。そして、音声圧縮処理に対するデコード処理等の再生信号処理を施され、４４．１ＫＨZ サンプリング、１６ビット量子化のデジタルオーディオ信号とされる。  このデジタルオーディオ信号は例えばデジタル信号処理回路２１でイコライジング、リバーブ、ゲインなどの調整処理が行われた後、Ｄ／Ａ変換器１５によってアナログ信号とされ、出力端子１６から所定の増幅回路部へ供給されて再生出力される。例えばＬ，Ｒアナログオーディオ信号として出力される。
【００４１】
デジタル信号処理回路は、いわゆるＤＳＰ（デジタルシグナルプロセッサ）などで形成され、各種の多様な処理を行うことができる。例えば各種モードの音響設定でのイコライジング処理だけでなく、徐々にゲイン（出力音量レベル）を変化させることでフェードイン、フェードアウトなどの処理等も可能である。
なお、このような処理部をＤ／Ａ変換器１５の後段に設け、アナログ処理により行うようにしてもよい。
【００４２】
光磁気ディスク１に対して記録動作が実行される際には、入力端子１７に供給された記録信号（アナログオーディオ信号）は、Ａ／Ｄ変換器１８によってデジタルデータとされた後、エンコーダ／デコーダ部１４に供給され、音声圧縮エンコード処理を施される。
エンコーダ／デコーダ部１４によって圧縮された記録データはメモリコントローラ１２によって一旦バッファメモリ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００４３】
磁気ヘッド駆動回路６はエンコード処理された記録データに応じて、磁気ヘッド６ａに磁気ヘッド駆動信号を供給する。つまり、光磁気ディスク１に対して磁気ヘッド６ａによるＮ又はＳの磁界印加を実行させる。また、このときシステムコントローラ１１は光学ヘッドに対して、記録レベルのレーザ光を出力するように制御信号を供給する。
【００４４】
操作部１９はユーザー操作に供される部位を示し、これは図１で説明したような各種操作キーやダイヤルに相当する。これらの操作キーやダイヤルによる操作情報はシステムコントローラ１１に供給され、システムコントローラ１１は操作情報に応じた動作制御を実行することになる。
また表示部２０は図１のように筺体上に設けられるもので、この表示動作はシステムコントローラ１１によって制御される。
【００４５】
ところで、ディスク１に対して記録／再生動作を行なう際には、ディスク１に記録されている管理情報、即ちＰ−ＴＯＣ（プリマスタードＴＯＣ）、Ｕ−ＴＯＣ（ユーザーＴＯＣ）を読み出す必要がある。システムコントローラ１１はこれらの管理情報に応じてディスク１上の記録すべきエリアのアドレスや、再生すべきエリアのアドレスを判別することとなる。
この管理情報はバッファメモリ１３に保持される。
そして、システムコントローラ１１はこれらの管理情報を、ディスク１が装填された際に管理情報の記録されたディスクの最内周側の再生動作を実行させることによって読み出し、バッファメモリ１３に記憶しておき、以後そのディスク１に対する記録／再生動作の際に参照できるようにしている。
【００４６】
また、Ｕ−ＴＯＣはデータの記録や消去に応じて編集されて書き換えられるものであるが、システムコントローラ１１は記録／消去動作のたびにこの編集処理をバッファメモリ１３に記憶されたＵ−ＴＯＣ情報に対して行ない、その書換動作に応じて所定のタイミングでディスク１のＵ−ＴＯＣエリアについても書き換えるようにしている。
【００４７】
バッファメモリ１３は、例えば図３（ａ）のように領域設定され、上記した記録データ／再生データはバッファエリア１３Ａにおいて一時的に蓄積される。
またディスクから読み込んだＰ−ＴＯＣ、Ｕ−ＴＯＣのデータを保持するためにＴＯＣエリア１３Ｃが用意される。
【００４８】
さらに後述するように、マルチアクセス再生モードにおいて所定のトラックの先頭数秒（本例では８秒とする）分の音声データを記憶する必要があるが、このためにマルチアクセスエリア１３Ｂが用意されている。
詳しくは後述するが、マルチアクセス再生モードにおいてトラック＃９，＃１０，＃１５，＃４，＃７が再生対象トラックとされる場合は、図３（ｂ）のように、マルチアクセス１３Ｂにトラック＃９，＃１０，＃１５，＃４，＃７のそれぞれについて、ディスク１から読み出される先頭８秒分の音声データが記憶される。
【００４９】
２．Ｕ−ＴＯＣセクター０
ここで、ディスク１において音声データ等の記録／再生動作の管理を行なうＵ−ＴＯＣセクターについて説明していく。
なおディスク１におけるＴＯＣ情報としてはＵ−ＴＯＣとＰ−ＴＯＣが設けられているが、このＰ−ＴＯＣはディスク１の最内周側のピットエリアに形成されるもので、読出専用の情報である。そして、Ｐ−ＴＯＣによってディスクの記録可能エリア（レコーダブルユーザーエリア）や、リードアウトエリア、Ｕ−ＴＯＣエリアなどの位置の管理等が行なわれる。
Ｐ−ＴＯＣについては詳細な説明を省略する。
【００５０】
Ｕ−ＴＯＣは１つのセクターで１つの管理情報ユニットが形成されており、Ｕ−ＴＯＣセクターとしてはセクター０，セクター１，セクター２，セクター４が定義されている。そしてセクター０はディスク１の記録／再生動作に必ず必要となるエリアである。またセクター１，セクター４は文字情報、セクター２は録音日時を記録するエリアとされる。
これらのエリアに加えて、本例では特にセクター６を用いて新たな管理情報ユニットを設ける。
文字情報を記録するセクター１，セクター４、及び録音日時を記録するセクター２については説明を省略し、ここでは、まずディスク１の記録／再生動作に必ず必要となるＵ−ＴＯＣセクター０について説明する。
【００５１】
図４はＵ−ＴＯＣセクター０のフォーマットを示すものである。
Ｕ−ＴＯＣセクター０は、主にユーザーが録音を行なったトラック（楽曲）や新たにトラックが録音可能なフリーエリアについての管理情報が記録されているデータ領域とされる。
例えばディスク１に或る楽曲の録音を行なおうとする際には、システムコントローラ１１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００５２】
Ｕ−ＴＯＣセクター０のデータ領域（４バイト×588 の２３５２バイト）は、先頭位置にオール０又はオール１の１バイトデータが並んで形成される同期パターンが記録される。
続いてクラスタアドレス(Cluster H) (Cluster L) 及びセクターアドレス(Sector)となるアドレスや、モード情報(MODE)が４バイト付加され、以上でヘッダとされる。
【００５３】
セクターとは、２３５２バイトのデータ単位であり、３６セクターが１クラスタとなる。同期パターンやアドレスについては、このＵ−ＴＯＣセクター０に限らず、Ｐ−ＴＯＣセクターや、実際に音声データが記録されるデータセクターでも、そのセクター単位に記録されている。
クラスタアドレスは、上位アドレス(Cluster H) と下位アドレス(Cluster L) の２バイトで記され、セクターアドレス(Sector)は１バイトで記される。
続いて所定バイト位置に、メーカーコード、モデルコード、最初のトラックのトラックナンバ(First TNO）、最後のトラックのトラックナンバ（Last TNO）、セクター使用状況(Used sectors)、ディスクシリアルナンバ、ディスクＩＤ等のデータが記録される。
【００５４】
さらに、ユーザーが録音を行なって記録されているトラック（楽曲等）の領域やフリーエリア等を後述する管理テーブル部に対応させることによって識別するため、対応テーブル指示データ部として各種のテーブルポインタ(P-DFA，P-EMPTY ，P-FRA ，P-TNO1〜P-TNO255) が記録される領域が用意されている。
【００５５】
そしてテーブルポインタ(P-DFA〜P-TNO255) に対応させることになる管理テーブル部として(01h) 〜(FFh) までの２５５個のパーツテーブルが設けられ、それぞれのパーツテーブルには、或るパーツについて起点となるスタートアドレス、終端となるエンドアドレス、そのパーツのモード情報（トラックモード）が記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
なお本明細書において『ｈ』を付した数値はいわゆる１６進表記のものである。また、パーツとは１つのトラック内で時間的に連続したデータが物理的に連続して記録されているトラック部分のことをいう。
【００５６】
この種の記録再生装置では、１つの楽曲のデータを物理的に不連続に、即ち複数のパーツにわたって記録されていてもパーツ間でアクセスしながら再生していくことにより再生動作に支障はないため、ユーザーが録音する楽曲等については、録音可能エリアの効率使用等の目的から、複数パーツにわけて記録する場合もある。
【００５７】
そのため、リンク情報が設けられ、例えば各パーツテーブルに与えられたナンバ(01h) 〜(FFh) によって、連結すべきパーツテーブルを指定することによってパーツテーブルが連結できるようになされている。
つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理はなされる。
なお、実際にはリンク情報は所定の演算処理によりＵ−ＴＯＣセクター０内のバイトポジションとされる数値で示される。即ち、３０４＋（リンク情報）×８（バイト目）としてパーツテーブルを指定する。
【００５８】
Ｕ−ＴＯＣセクター０の管理テーブル部における(01h) 〜(FFh) までの各パーツテーブルは、対応テーブル指示データ部におけるテーブルポインタ(P-DFA，P-EMPTY ，P-FRA ，P-TNO1〜P-TNO255) によって、以下のようにそのパーツの内容が示される。
【００５９】
テーブルポインタP-DFA は光磁気ディスク１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタP-DFA において(01h) 〜(FFh) のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば『(00h) 』とされ、以降リンクなしとされる。
【００６０】
テーブルポインタP-EMPTY は管理テーブル部における１又は複数の未使用のパーツテーブルの先頭のパーツテーブルを示すものであり、未使用のパーツテーブルが存在する場合は、テーブルポインタP-EMPTY として、(01h) 〜(FFh) のうちのいづれかが記録される。未使用のパーツテーブルが複数存在する場合は、テーブルポインタP-EMPTY によって指定されたパーツテーブルからリンク情報によって順次パーツテーブルが指定されていき、全ての未使用のパーツテーブルが管理テーブル部上で連結される。
【００６１】
テーブルポインタP-FRA は光磁気ディスク１上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタP-FRA において(01h) 〜(FFh) のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『(00h) 』となるパーツテーブルまで順次指定されている。
【００６２】
図５にパーツテーブルにより、フリーエリアとなるパーツの管理状態を模式的に示す。これはパーツ(03h)(18h)(1Fh)(2Bh)(E3h) がフリーエリアとされている時に、この状態が対応テーブル指示データP-FRA に引き続きパーツテーブル(03h)(18h)(1Fh)(2Bh)(E3h) のリンクによって表現されている状態を示している。なお上記した欠陥領域や未使用パーツテーブルの管理形態もこれと同様となる。      
【００６３】
ところで、全く楽曲等の音声データの記録がなされておらず欠陥もない光磁気ディスクであれば、テーブルポインタP-FRA によってパーツテーブル(01h) が指定され、これによってディスクのレコーダブルユーザーエリアの全体がフリーエリアであることが示される。そして、この場合残る(02h) 〜(FFh) のパーツテーブルは使用されていないことになるため、上記したテーブルポインタP-EMPTY によってパーツテーブル(02h) が指定され、また、パーツテーブル(02h) のリンク情報としてパーツテーブル(03h) が指定され・・・・・・、というようにパーツテーブル(FFh) まで連結される。この場合パーツテーブル(FFh) のリンク情報は以降連結なしを示す『(00h) 』とされる。
なお、このときパーツテーブル(01h) については、スタートアドレスとしてはレコーダブルユーザーエリアのスタートアドレスが記録され、またエンドアドレスとしてはリードアウトスタートアドレスの直前のアドレスが記録されることになる。
【００６４】
テーブルポインタP-TNO1〜P-TNO255は、光磁気ディスク１にユーザーが記録を行なった楽曲などのトラックについて示しており、例えばテーブルポインタP-TNO1ではトラック＃１のデータが記録された１又は複数のパーツのうちの時間的に先頭となるパーツが示されたパーツテーブルを指定している。
例えばトラック＃１とされた楽曲がディスク上でトラックが分断されずに、つまり１つのパーツで記録されている場合は、そのトラック＃１の記録領域はテーブルポインタP-TNO1で示されるパーツテーブルにおけるスタート及びエンドアドレスとして記録されている。
【００６５】
また、例えばトラック＃２とされた楽曲がディスク上で複数のパーツに離散的に記録されている場合は、そのトラック＃２の記録位置を示すため各パーツが時間的な順序に従って指定される。つまり、テーブルポインタP-TNO2に指定されたパーツテーブルから、さらにリンク情報によって他のパーツテーブルが順次時間的な順序に従って指定されて、リンク情報が『(00h) 』となるパーツテーブルまで連結される（上記、図５と同様の形態）。
このように例えばトラック＃２（２曲目）を構成するデータが記録された全パーツが順次指定されて記録されていることにより、このＵ−ＴＯＣセクター０のデータを用いて、トラック＃２の再生時や、そのトラック＃２が記録された領域への上書き記録を行なう際に、光学ヘッド３及び磁気ヘッド６をアクセスさせ離散的なパーツから連続的な音楽情報を取り出したり、記録エリアを効率使用した記録が可能になる。
【００６６】
各パーツテーブルに設けられるトラックモードの情報としてはその１バイトの各ビットによって所定の状態が示されている。
トラックモードのデータとなるｄ１〜ｄ８の８ビットとして、例えばｄ２が『０』又は『１』であることでコピーライトプロテクトのオン／オフ状態が示される。また、ｄ４が『１』である場合はそのパーツはオーディオデータであると識別される。さらにｄ７についてはモノラル／ステレオの識別、ｄ８についてはエンファシス情報に用いられている。
【００６７】
３．Ｕ−ＴＯＣセクター６
本例では、Ｕ−ＴＯＣ内の１つのユニットであるＵ−ＴＯＣセクター６としてのエリアを用いて、特定の再生モードに関する管理情報を記録できるようにしている。特定の再生モードは何であるとするかは特に限定されないが、本例ではプログラム再生モード、及びマルチアクセス再生モードとし、これらの再生モードに関する管理情報をＵ−ＴＯＣセクター６に記録するものとする。なお、本例ではＵ−ＴＯＣセクター６を用いているが、セクター７などの他のＵ−ＴＯＣセクターを用いて、以下説明するフォーマットの領域を設定してもよい。
【００６８】
図６にＵ−ＴＯＣセクター６のフォーマットを示す。先頭のヘッダには、他のセクターと同様にシンクパターン、クラスタアドレス、セクターアドレス、モードが記録される。
このＵ−ＴＯＣセクター６では、Ａリストポインタ部とＡスロット部による１つの管理領域（以下、Ａ管理領域）が形成され、またＢリストポインタ部とＢスロット部による１つの管理領域（以下、Ｂ管理領域）が形成される。
【００６９】
本例では、Ａリストポインタ部とＡスロット部によるＡ管理領域では、プログラム再生モードに関する管理情報を記録し、またＢリストポインタ部とＢスロット部によるＢ管理領域では、マルチアクセス再生モードに関する管理情報を記録するものとする。
【００７０】
Ａ管理領域におけるＡリストポインタ部には、１２８個のリストポインタP-LST・A1〜P-LST・A128が設けられる。
またＡスロット部には各４バイトで２５５単位のスロット(A-01h) 〜(A-FFh) が設けられている。
各スロット(A-01h) 〜(A-FFh) は図７のように構成される。即ち１バイトでトラックナンバが記録され、２バイトでプログラム再生時におけるそのトラックの再生動作に関する各種情報（以下、リストトラックモード）が記録される。
さらに１バイトはリンク情報とされる。
【００７１】
このようなＡ管理領域で、プログラム再生モードについての管理が次のように行なわれる。プログラム再生のためには、ユーザーが所望のトラック順序を指定していくことになるが、そのような操作で形成された１単位のプログラムリスト（ユーザーの設定した曲順）が１つのリストとして記録される。
リストポインタP-LST・A1〜P-LST・A128が用意されていることにより、最高１２８個のプログラムリストをＡ管理領域内に登録することができる。
【００７２】
そしてプログラムリストが登録された或るリストポインタP-LST・A(x)には、或るスロット(A-xxh) が指定されており、そのスロット(A-xxh) にはそのプログラムリストの最初のトラックナンバ、リストトラックモードが記述される。さらにリンク情報により他のスロットがリンクされ、そのリンクされたスロットに次のトラックのトラックナンバ、リストトラックモードが記述されるというように１つのプログラムリストが管理される。
なお、スロット(A-01h) 〜(A-FFh) のうちで使用されていないスロットはスロットポインタP-EMPTY・A からのリンクによって管理される。
【００７３】
Ｂ管理領域におけるＢリストポインタ部には、１２８個のリストポインタP-LST・B1〜P-LST・B128が設けられる。
またＢスロット部には各４バイトで２５５単位のスロット(B-01h) 〜(B-FFh) が設けられている。
各スロット(B-01h) 〜(B-FFh) もＡスロット部と同様に図７のように構成される。
【００７４】
このようなＢ管理領域で、マルチアクセス再生モードについての管理が行なわれる。マルチアクセス再生のためには、ユーザーが対象となるトラックを指定していくことになるが、そのような操作で形成された１単位のマルチアクセスリスト（ユーザーの設定した対象トラック群）が１つのリストとして記録される。
リストポインタP-LST・B1〜P-LST・B128が用意されていることにより、最高１２８個のマルチアクセスリストをＢ管理領域内に登録することができる。
【００７５】
そしてＡ管理領域と同様に、マルチアクセスリストが登録された或るリストポインタP-LST・B(x)には、或るスロット(B-xxh) が指定されており、そのスロット(B-xxh) にはそのマルチアクセスリストの最初のトラックナンバ、リストトラックモードが記述される。さらにリンク情報により他のスロットがリンクされ、そのリンクされたスロットに次のトラックのトラックナンバ、リストトラックモードが記述されるというように１つのマルチアクセスリストが管理される。
スロット(B-01h) 〜(B-FFh) のうちで使用されていないスロットはスロットポインタP-EMPTY・B からのリンクによって管理される。
【００７６】
各スロット(A-01h) 〜(A-FFh) ，(B-01h) 〜(B-FFh) における２バイトのリストトラックモードとしては、その２バイト（１６ビット）を用いて各種の動作状態を設定できる。例えば再生時のゲイン（音量レベル）、フェードイン、フェードアウト、ミュートなどの動作の指定、出力音声のイコライジング、トーン（ベースブーストなど）、リバーブなどの指定を行なうように設定できる。また、再生時における表示する情報の種別や、文字情報を表示する場合の字体、アルファベット／カナの別等を指定するようにしてもよい。さらに、トラックの一部のみを再生させるための情報を記録するようにすることも考えられる。
このリストトラックモードにより、設定された或るプログラムリストや或るマルチアクセスリストに基づく動作を実行する際の、各トラックの再生状態などを細かく設定できることになる。
【００７７】
なお、本例ではＡ管理領域でプログラム再生に関する管理を行い、Ｂ管理領域でマルチアクセス再生に関する管理を行うようにするが、Ａ管理領域、Ｂ管理領域をどのような再生モードに関する管理に用いるかは各種考えられる。すなわちプログラム再生やマルチアクセス再生以外の再生モードに関する管理に用いても良い。また、Ａ管理領域とＢ管理領域は必ずしも異なる再生モードの管理にわりあてなければならないものでもなく、例えばＡ管理領域とＢ管理領域の両方をプログラム再生に関する管理情報を記録するようにし、最高２５６個のプログラムリストを記録できるようにすること等も考えられる。
さらに、本例では１つのＵ−ＴＯＣセクター内でＡ管理領域とＢ管理領域の２つの管理領域に分割するようにしたが、例えばＡ管理領域，Ｂ管理領域，Ｃ管理領域というように更に多数の管理領域分割を行ってもよい。
【００７８】
４．Ｕ−ＴＯＣセクター６の管理例Ｉ
上記のように、Ｕ−ＴＯＣセクター６におけるＡ管理領域でプログラム再生に関する管理を行ない、Ｂ管理領域でマルチアクセス再生に関する管理を行なう場合としての管理例を図８〜図１０で説明する。
【００７９】
図１０（ａ）は或るディスクに収録されている内容の例を示している。このディスクは例えばトラック＃１〜＃２０の２０トラックが収録されているとし、各トラックとして図示するように曲Ａ〜曲Ｌの楽曲や、チャイム音、笑い声などの
各種の効果音が、それぞれ所定のトラックナンバで記録されているものとする。
【００８０】
このようなディスクに関し、ユーザーがエディットモードの１つであるプログラム設定モードの操作を行ない、例えば図１０（ｂ）のように再生するトラック順序を指定していったとする。
ここではプログラム再生する際の１トラック目（第１プログラムトラック）としてトラック＃２を指定し、続く第２プログラムトラックとしてトラック＃６を指定している。
さらに第３プログラムトラック，第４プログラムトラックとしてそれぞれトラック＃８，＃１を指定したとする。即ちユーザーは、曲Ｂ、曲Ｅ、曲Ｇ、曲Ａを、この順序で再生させるべきプログラム設定を行なったことになる。
【００８１】
このようなプログラム設定によって指定された曲順は、Ｕ−ＴＯＣセクター６のＡ管理領域においてプログラムリストの１つとして登録される。いま、このようなプログラムリストがリストポインタP-LST・A1から管理される第１プログラムリストとされるとすると、その管理は例えば図８のような形態で行なわれることになる。
【００８２】
即ち、リストポインタP-LST・A(1)には、或るスロット（例えばスロット(A-01h) ）が指定され、そのスロット(A-01h) には、このプログラムリストの最初のトラックとなる第１プログラムトラックのトラックナンバとリストトラックモードが記述される。即ちトラックナンバ『＃２』と、このプログラムリストに基づいて再生が開始され、トラック＃２が再生される際における再生動作制御（上述したフェードイン、イコライジング、ゲインなど）に関する情報がリストトラックモードとして記録される。なお、リストトラックモードに記録すべき内容は、プログラム登録時にユーザーが入力するものとすればよい。
【００８３】
そしてスロット(A-01h) のリンク情報には例えばスロット(A-02h) が、セクター内のバイトポジションなどの値により示されているとすると、スロット(A-01h) からスロット(A-02h) がリンクされたことになり、このスロット(A-02h) に、第２プログラムトラックのトラックナンバ『＃６』とそのトラック＃６の再生時の動作のためのリストトラックモードが記述される。
【００８４】
さらにスロット(A-02h) 以降、リンク情報により例えばスロット(A-05h) →(A-09h) とリンクされ、スロット(A-05h) に第３プログラムトラックのトラックナンバ『＃８』とそのトラック＃８の再生時の動作のためのリストトラックモードが、スロット(A-09h) に第４プログラムトラックのトラックナンバ『＃１』とそのトラック＃１の再生時の動作のためのリストトラックモードが、それぞれ記録される。
【００８５】
この場合、ユーザーは４トラックしかプログラムしなかったとすると、第５プログラムトラック以降はなく、従って第４プログラムトラックの記録を行なっているスロット(A-09h) では、リンク情報＝『００ｈ』とされ、以降リンクされるスロットは無いことが示される。
このような形態で１つのプログラムリストが管理されることになる。
【００８６】
次に、図１０（ａ）のようなディスクに関し、ユーザーがエディットモードの１つであるマルチアクセス設定モードの操作を行ない、例えば図１０（ｃ）のように再生対象となるトラックを指定していったとする。
ここではマルチアクセス再生対象として、トラック＃９（笑い声）、トラック＃１０（クラクション音）、トラック＃１５（ブザー音）、トラック＃４（チャイム音）、トラック＃７（曲Ｆ）の５トラックを指定したとする。
【００８７】
そしてマルチアクセス再生モードにおける操作のためのナンバとしてトラック＃９，＃１０，＃１５，＃４，＃７が、それぞれ第１アクセストラック〜第５アクセストラックとして割り当てられるものとする。
第１アクセストラックとは、図１に示した数字キー３９における『１』キーにより再生が行なわれるトラックであり、第２アクセストラックとは『２』キーにより再生が行なわれるトラックである。以下も同様である。
【００８８】
このようなマルチアクセス設定を行なった後、ユーザーは再生モードをマルチアクセス再生モードにセットし、『１』キーから『５』キーまでのいずれかを任意のタイミングで操作することにより、その操作したキーに対応するトラックが即座に再生されることになる。例えば演劇や放送での効果音としてチャイム音を出力したいタイミングがある場合は、そのタイミングを見計らって『４』キーを押せば、その押した瞬間にチャイム音が出力される。
【００８９】
このようなマルチアクセス設定によって指定されたトラックは、Ｕ−ＴＯＣセクター６のＢ管理領域においてマルチアクセスリストの１つとして登録される。いま、この図１０（ｃ）のようなマルチアクセスリストがリストポインタP-LST・B1から管理される第１マルチアクセスリストとされるとすると、その管理は例えば図９のような形態で行なわれることになる。
【００９０】
即ち、リストポインタP-LST・B(1)には、或るスロット（例えばスロット(B-01h) ）が指定され、そのスロット(B-01h) には、このマルチアクセスリストの第１アクセストラックのトラックナンバとリストトラックモードが記述される。即ちトラックナンバ『＃９』と、このマルチアクセスリストに基づいたマルチアクセス再生モードとされ、トラック＃９が再生される際における再生動作制御に関する情報がリストトラックモードとして記録される。なお、この場合もリストトラックモードに記録すべき内容は、マルチアクセス設定時にユーザーが入力するものとすればよい。
【００９１】
そしてスロット(B-01h) のリンク情報には例えばスロット(B-02h) が、セクター内のバイトポジションなどの値により示されているとすると、スロット(B-01h) からスロット(B-02h) がリンクされたことになり、このスロット(B-02h) に、第２アクセストラックのトラックナンバ『＃１０』とそのトラック＃１０の再生時の動作のためのリストトラックモードが記述される。
【００９２】
さらにスロット(B-02h) 以降、リンク情報により例えばスロット(B-03h) →(B-07h) →(B-0Ah) とリンクされ、スロット(B-03h) に第３アクセストラックのトラックナンバ『＃１５』とそのトラック＃１５の再生時の動作のためのリストトラックモードが、スロット(B-07h) に第４アクセストラックのトラックナンバ『＃４』とそのトラック＃４の再生時の動作のためのリストトラックモードが、さらにスロット(B-0Ah) に第５アクセストラックのトラックナンバ『＃７』とそのトラック＃７の再生時の動作のためのリストトラックモードが、それぞれ記録される。
【００９３】
この場合、ユーザーは５つのトラックをマルチアクセス再生の対象トラックとしたとすると、第６アクセストラック以降はなく、従って第５プログラムトラックの記録を行なっているスロット(B-0Ah) では、リンク情報＝『００ｈ』とされ、以降リンクされるスロットは無いことが示される。
このような形態で１つのマルチアクセスリストが管理されることになる。
【００９４】
５．Ｕ−ＴＯＣセクター６の管理例ＩＩ
Ｕ−ＴＯＣセクター６におけるＡ管理領域、Ｂ管理領域では基本的には以上のようにプログラム再生やマルチアクセス再生に関する管理情報の記録が行なわれることになるが、各管理領域ではそれぞれ複数のプログラムリスト、マルチアクセスリストが記録可能である。そして後述するが、このように記録された１又は複数のプログラムリスト、マルチアクセスリストのなかから、プログラム再生モード、マルチアクセス再生モードの際に選択を行なうことによって、そのプログラムリストもしくはマルチアクセスリストに基づいたプログラム再生、マルチアクセス再生が可能となるものである。このような複数のリストからの選択を行なうことを考えると、各プログラムリスト、マルチアクセスリストに、リスト名を付加できると便利なものとなる。つまりプログラム再生モード、マルチアクセス再生モードの際にリスト名をみていって必要なリストを選択できる。
【００９５】
そこで、例えば図１１のような管理形態をとり、各プログラムリスト、マルチアクセスリストにリスト名を付加できるようにしてもよい。
この図１１は、マルチアクセスリストの管理形態例としての図９の例に、リスト名を付加した場合である。図９で説明したようにリストポインタP-LST・B(1)からスロット(B-01h) →(B-02h) →(B-03h) →(B-07h) →(B-0Ah) とリンクされ、第１〜第５アクセストラックとしてのトラック＃９，＃１０，＃１５，＃４，＃７が記録されるが、第５アクセストラックを記録するスロット(B-0Ah) でリンクを終了させず、例えばスロット(B-0Bh) をリンクさせる。そしてスロット(B-0Bh) においてはトラックナンバとして例えば『＃０』に相当する値を記録する。『＃０』はトラックナンバとしてはありえない数値であり、例えばこのような数値を、以降はテキストデータ（文字情報）が記録されていることを示す識別子と設定する。
【００９６】
そしてこのスロット(B-0Bh) から、入力されたリスト名としての文字数に必要なだけのスロット数をリンクさせ、リンク情報以外の各バイト位置に文字データを記録していく。例えばユーザーがリスト名として『ＥＦＦＥＣＴ  １』という名称を入力した場合は、スロット(B-0Bh) から例えばスロット(B-0Ch) 、(B-0Dh) と２つのスロットをリンクさせ、スロット(B-0Bh) からスロット(B-0Dh) までの所定のバイト位置に、図示するように『Ｅ』『Ｆ』『Ｆ』『Ｅ』『Ｃ』『Ｔ』『  』『１』というデータを記録する。
【００９７】
そしてスロット(B-0Dh) においては、リンク情報を『００ｈ』とし、ここでリンクは終了することを示すようにする。
このような管理方式をとることで、プログラムリストやマルチアクセスリストなど、Ｕ−ＴＯＣセクター６で管理される各リストについて名称を設定することができる。
【００９８】
６．プログラム再生モードの動作
本例の記録再生装置において再生モードの１つされるプログラム再生モードでは、システムコントローラ１１がＵ−ＴＯＣセクター６の情報を読込、それを用いて動作制御を実行することになる。このためにはＵ−ＴＯＣセクター６のＡ管理領域に少なくとも１つ以上のプログラムリストが記録されていなければならない。
【００９９】
このプログラムリストはユーザーが設定していくものであるが、この設定操作はエディットモードの１つであるプログラム設定モードによって行なわれる。
まずユーザーの操作によってプログラム設定モードとされた場合のシステムコントローラ１１の処理例を図１２で説明していく。
【０１００】
プログラム設定モードとされると、ステップF101でシステムコントローラ１１はまず変数ｎ＝１にセットする。そしてステップF102で表示部２０においてプログラム設定操作のための必要な表示を実行させ、ユーザーにトラックナンバの入力を要求する。そしてステップF103，F104のループで、ユーザーの操作を監視する。
【０１０１】
これに応じて、ユーザーはまず第１プログラムトラックとなるトラックナンバを入力することになるが、トラックナンバ入力があったら、ステップF103からF105に進み、入力されたトラックナンバを、第ｎプログラムトラックのトラックナンバとして取り込む。変数ｎ＝１であるから、まず第１プログラムトラックとしてのトラックナンバが取り込まれたことになる。
【０１０２】
続いてステップF106でユーザーに、その第１プログラムトラックに対するトラックモード設定要求を行なう。例えばゲイン、フェードイン、フェードアウト、イコライジングなどの設定メニュー画面を表示部２０に表示させ、その画面内で各パラメータのイニシャル値を表示させる。そしてユーザーの操作に応じてゲイン等の各パラメータについての値が可変されるようにする。
【０１０３】
トラックモード入力方式としては、ユーザーは、画面上で特に必要なければイニシャル値が表示された状態でエンター操作を行ない、或は再生時の動作について希望があれば、必要なパラメータの設定を行なってからエンター操作を行なうようにするような操作方式が考えられる。
【０１０４】
ユーザーの操作によってトラックモード情報の入力が行なわれたら、システムコントローラ１１の処理はステップF107からF108に進み、入力されたトラックモード情報を、第ｎプログラムトラックに対するトラックモードとして取り込む。そしてステップF109で変数ｎをインクリメントしてステップF102に戻り、トラックナンバ入力要求を行なって、ステップF103，F104の操作監視ループに入る。
【０１０５】
続いてユーザーは、第２番目に再生させたいトラックのトラックナンバを入力することになるが、このとき変数ｎ＝２であるので、ユーザーが入力したトラックナンバはステップF105で第２プログラムトラックのトラックナンバとして取り込まれる。そしてステップF106,F107,F108で第２プログラムトラックのトラックモードの入力要求及び入力されたトラックモード情報を第２プログラムトラックのトラックモードとしての取込みが行なわれ、ステップF109で変数ｎがインクリメントされてステップF102に戻る。以降同様の処理で、第３プログラムトラック、第４プログラムトラック・・・・の設定が行なわれていく。
【０１０６】
ユーザーは所望のトラックナンバを所望の順番で全て入力したら、設定終了操作を行なうことになるが、そのときのシステムコントローラ１１の処理はステップF104からF110に進む。そして、それまでに取り込まれている第１のプログラムトラックのトラックナンバ及びそのトラックモードから、第ｎのプログラムトラックのトラックナンバ及びそのトラックモードまでのデータにより、プログラムリストとしてのデータを生成する。
【０１０７】
そしてステップF111で、そのプログラムリストが、Ｕ−ＴＯＣセクター６の或るリストポインタP-LST・A(x)から管理される第（ｘ）プログラムリストとなるように、Ｕ−ＴＯＣセクター６のデータ更新を行なう。つまり、例えば図８で説明したような管理が行なわれるように、リストポインタP-LST・A(x)及び必要数のスロットにプログラムリストとしてのデータの書き込まれる。
【０１０８】
このＵ−ＴＯＣ更新処理はまずバッファメモリ１３に保持されているＵ−ＴＯＣデータに対して行なわれ、その後、そのバッファメモリ１３に保持されているＵ−ＴＯＣデータがディスク１のＵ−ＴＯＣ領域に書き込まれることになる。
以上のような処理でプログラムリストがＵ−ＴＯＣセクター６上に書き込まれることで、その後は、そのプログラムリストに基づくプログラム再生は、そのリストを選択するのみで実行可能となり、ユーザーが毎回同じプログラム登録を行なう必要は無くなる。
【０１０９】
なお、図１１のようにリスト名を入力できるようにする場合は、例えばステップF110の直前の段階でユーザーにネーム入力要求を行ない、入力された文字情報を取り込むようにすればよい。
【０１１０】
以上のような処理でのプログラム設定が行なわれ、１又は複数のプログラムリストがＵ−ＴＯＣセクター６に記録されているディスクについては、そのプログラムリストの選択によるプログラム再生モード動作が可能となる。
プログラム再生モードとされた場合のシステムコントローラ１１の処理を図１３で説明していく。
【０１１１】
ディスク１が装填されると、システムコントローラ１１はまずそのディスク１からＴＯＣデータを読み込み、バッファメモリ１３に取り込むことになる。これによってそのディスク１に対する記録／再生動作が可能な状態となる。
【０１１２】
ここでユーザーがプログラム再生モードとする操作を行なうと、システムコントローラ１１は図１３の処理を開始し、まずステップF201で、バッファメモリ１３に保持されているＴＯＣ情報のうちのＵ−ＴＯＣセクター６におけるＡ管理領域の検索を行なう。
【０１１３】
ここで、リストポインタP-LST・A1〜P-LST・A128の全てが『００ｈ』であれば、Ａ管理領域にはプログラムリストが１つも記録されていないことになる。
このような場合はステップF202でプログラム再生を実行するためのプログラムリストがないと判断され、ステップF203に進んで、ユーザーに対してプログラムリストが存在しない旨の表示を行なう。
このような場合は、そのままではプログラム再生動作は実行できず、ユーザーは、図１２で上述したプログラム設定モードの操作により、少なくとも１つのプログラムリストを登録する必要がある。
【０１１４】
Ａ管理領域内に少なくとも１つ以上のプログラムリストが記録されていた場合は、ステップF202からF204に進んで、ユーザーにプログラム再生を実行すべきプログラムリストの選択を要求する。
この選択のためには、例えばジョグダイヤル２７や数字キー３９の操作に応じて順次各プログラムリストの内容を表示していったり、或は所定数のプログラムリスト単位で一覧表示させるような方式が考えられる。プログラムリストの内容表示のためには、そのプログラムリストで再生されるトラックナンバ順を表示させたり（例えば図８の例のプログラムリストであれば『２→６→８→１』のような表示を行なう）、もしくは図１１の例のようにリスト名が付加されている場合は、そのリスト名を表示させるようにするとよい。
【０１１５】
ユーザーがプログラムリストの選択操作を実行したら、ステップF205からF206に進み、その選択されたプログラムリストのトラック順で再生動作を実行するための設定として、内部レジスタへのプログラムリストデータの取込などの必要な処理を行なう。
なおＡ管理領域内にプログラムリストが１つしか記録されていなければ、ステップF204,F205 の処理を省略してステップF206の処理を行なってもよい。
【０１１６】
そしてユーザーが再生操作を行なったらステップF207からF208に進み、そのプログラムリストに基づいた再生処理を実行する。
例えば図８の例のようなプログラムリストが選択され、再生操作が行なわれた場合は、サーボ回路９や光学ヘッド３及びエンコーダ／デコーダ部８などの再生処理系に対して、まず第１プログラムトラックであるトラック＃２の再生を実行させる。このとき、スロット(A-01h) に記録されていたリストトラックモードに応じて、デジタル信号処理部２１などに対する制御を行ない、例えば音量レベル（ゲイン）設定、フェードインなどの特殊処理、イコライジングなどの必要な音響処理も実行させることになる。
【０１１７】
そしてトラック＃２の再生が終了したら、引き続き第２プログラムトラックであるトラック＃６の再生を実行させる。このときも、スロット(A-02h) に記録されていたリストトラックモードに応じて、デジタル信号処理部２１などに対する制御も行なう。
その後、第３プログラムトラックであるトラック＃８、第４プログラムトラックであるトラック＃１と再生を実行させ、プログラム再生動作を終えることになる。
【０１１８】
以上のようにプログラム再生動作が実行される本例では、プログラム再生のための曲順などはユーザーは一度設定を行なえば、そのプログラムリストは上記図１２の処理で自動的にＵ−ＴＯＣセクター６に記録される。従って、その後の時点（ディスク入れ換えがあり再度そのディスクが装填された場合や、一旦電源オンとされた後など）で、もう一度で以前に設定した曲順でプログラム再生を実行させたいような場合にも、単にプログラムリストの選択を行なうだけでよく、毎回プログラム設定操作を行なう必要はなくなる。また本例の場合最高１２８個のプログラムリストを記録できるため、一度設定したプログラムリストを保存したまま他のプログラムリストを作成していき、多様なプログラムリストを設定できる。そして状況に応じてプログラムリストを使い分けてプログラム再生を行なうといった操作も簡単に実行できる。
【０１１９】
さらにプログラムリスト内にプログラムリストトラックモードとしてトラック毎に再生制御データを設定できる。このため、例えばプログラムリストのうちの或るトラックだけは小さい音量で再生させたり、或るトラックではフェードインにより再生を開始させたいなどの再生状態制御などに関する要望がある場合に、それに対応した設定を行ない、再生時にその要望に応じた処理を自動的に実行できることになる。
【０１２０】
なお、以上の説明はデータ記録可能な光磁気ディスクについて行なってきたが、ミニディスクシステムは、予めエンボスピットで音楽データ等を記録した再生専用ディスクも提供されている。このような再生専用ディスクも上記Ｕ−ＴＯＣセクター６のような領域をＰ−ＴＯＣセクターの１つとして設ければ、ディスク作成者側が各種多様なプログラムリストを設定しておき、ユーザーがその１つを選択してプログラム再生を行なうといったことが実現できる。
【０１２１】
７．マルチアクセス再生モードの動作
次に、上記プログラム再生モードとともに、本例の記録再生装置の再生モードの１つとされているマルチアクセス再生モードの動作について説明する。このマルチアクセス再生モードでも、システムコントローラ１１がＵ−ＴＯＣセクター６の情報を読込、それを用いて動作制御を実行することになる。そしてこのためにはＵ−ＴＯＣセクター６のＢ管理領域に少なくとも１つ以上のマルチアクセスリストが記録されていなければならない。
このマルチアクセスリストはユーザーが設定していくものであるが、この設定操作はエディットモードの１つであるマルチアクセス設定モードによって行なわれる。
【０１２２】
まずユーザーの操作によってマルチアクセス設定モードとされた場合のシステムコントローラ１１の処理例を図１４で説明していく。
マルチアクセス設定モードとされると、ステップF301でシステムコントローラ１１はまず変数ｎ＝１にセットする。そしてステップF302で表示部２０においてマルチアクセス設定操作のための必要な表示を実行させ、ユーザーにトラックナンバの入力を要求する。そしてステップF303，F304のループで、ユーザーの操作を監視する。
【０１２３】
これに応じて、ユーザーはアクセストラックとしたいトラックナンバを入力することになるが、トラックナンバ入力があったら、ステップF303からF305に進み、入力されたトラックナンバを、第ｎアクセストラックのトラックナンバとして取り込む。変数ｎ＝１であるから、まず第１アクセストラックとしてのトラックナンバが取り込まれたことになる。
【０１２４】
続いてステップF306でユーザーに、その第１アクセストラックに対するトラックモード設定要求を行なう。例えばゲイン、フェードイン、フェードアウト、イコライジングなどの設定メニュー画面を表示部２０に表示させ、その画面内で各パラメータのイニシャル値を表示させる。そしてユーザーの操作に応じてゲイン等の各パラメータについての値が可変されるようにする。ここでのトラックモード入力方式としては、上記プログラム設定時の場合と同様の操作方式が考えられる。
【０１２５】
ユーザーの操作によってトラックモード情報の入力が行なわれたら、システムコントローラ１１の処理はステップF307からF308に進み、入力されたトラックモード情報を、第ｎアクセストラックに対するトラックモードとして取り込む。
そしてステップF309で変数ｎをインクリメントしてステップF302に戻り、トラックナンバ入力要求を行なって、ステップF303,F304 の操作監視ループに入る。
【０１２６】
続いてユーザーは、他にもマルチアクセスモードでの再生対象としたいトラックのトラックナンバを入力することになるが、このとき変数ｎ＝２であるので、ユーザーが入力したトラックナンバはステップF305で第２アクセストラックのトラックナンバとして取り込まれる。そしてステップF306,F107,F308で第２アクセストラックのトラックモードの入力要求及び入力されたトラックモード情報を第２アクセストラックのトラックモードとしての取込みが行なわれ、ステップF309で変数ｎがインクリメントされてステップF302に戻る。以降同様の処理で、第３アクセストラック、第４アクセストラック・・・・の設定が行なわれていく。
【０１２７】
ユーザーはマルチアクセス再生の対象にしたい所望のトラックナンバを全て入力したら設定終了操作を行なうことになるが、そのときのシステムコントローラ１１の処理はステップF304からF310に進む。そして、それまでに取り込まれている第１アクセストラックのトラックナンバ及びそのトラックモードから、第ｎアクセストラックのトラックナンバ及びそのトラックモードまでのデータにより、マルチアクセスリストとしてのデータを生成する。
【０１２８】
そしてステップF311で、そのマルチアクセスリストが、Ｕ−ＴＯＣセクター６の或るリストポインタP-LST・B(x)から管理される第（ｘ）マルチアクセスリストとなるように、Ｕ−ＴＯＣセクター６のデータ更新を行なう。つまり、例えば図９で説明したような管理が行なわれるように、リストポインタP-LST・B(x)及び必要数のスロットにマルチアクセスリストとしてのデータの書き込まれる。
【０１２９】
このＵ−ＴＯＣ更新処理はまずバッファメモリ１３に保持されているＵ−ＴＯＣデータに対して行なわれ、その後、そのバッファメモリ１３に保持されているＵ−ＴＯＣデータがディスク１のＵ−ＴＯＣ領域に書き込まれる。
以上のような処理でマルチアクセスリストがＵ−ＴＯＣセクター６上に書き込まれることで、その後は、そのマルチアクセスリストに基づくマルチアクセス再生は、そのリストを選択するのみで実行可能となり、ユーザーが毎回同じようなマルチアクセス登録を行なう必要は無くなる。
【０１３０】
なお、このマルチアクセス設定の場合でも、図１１のようにリスト名を入力できるようにするなら、例えばステップF310の直前の段階でユーザーにネーム入力要求を行ない、入力された文字情報を取り込むようにすればよい。
【０１３１】
以上のような処理でのマルチアクセス設定が行なわれ、１又は複数のマルチアクセスリストがＵ−ＴＯＣセクター６に記録されているディスクについては、そのマルチアクセスリストの選択によるマルチアクセス再生モード動作が可能となる。
マルチアクセス再生モードとされた場合のシステムコントローラ１１の処理を図１５で説明していく。
【０１３２】
ディスク１が装填され、システムコントローラ１１がそのディスク１からＴＯＣデータを読み込み、バッファメモリ１３に記憶させ、そのディスク１に対する記録／再生動作が可能な状態となった後、ユーザーがマルチアクセス再生モードとする操作を行なうと、システムコントローラ１１は図１５の処理を開始する。
まずステップF401で、バッファメモリ１３に保持されているＴＯＣ情報のうちのＵ−ＴＯＣセクター６におけるＢ管理領域の検索を行なう。
【０１３３】
ここで、リストポインタP-LST・B1〜P-LST・B128の全てが『００ｈ』であれば、Ｂ管理領域にはマルチアクセスリストが１つも記録されていないことになる。
この場合はステップF402でマルチアクセス再生を実行するためのマルチアクセスリストがないと判断され、ステップF403に進んで、ユーザーに対してマルチアクセスリストが存在しない旨の表示を行なう。
このような場合は、そのままではマルチアクセス再生動作は実行できず、ユーザーは、図１４のマルチアクセス設定モードの操作により、少なくとも１つのマルチアクセスリストを登録する必要がある。
【０１３４】
Ｂ管理領域内に少なくとも１つ以上のマルチアクセスリストが記録されていた場合は、ステップF402からF404に進んで、ユーザーにマルチアクセス再生を実行すべきマルチアクセスリストの選択を要求する。
【０１３５】
この選択のための処理としても、上記プログラムリスト選択の場合と同様に、例えばジョグダイヤル２７や数字キー３９の操作に応じて順次各マルチアクセスリストの内容を表示していったり、或は所定数のマルチアクセスリスト単位で一覧表示させるような方式が考えられる。マルチアクセスリストの内容表示のためには、そのマルチアクセスリストで再生対象となる全トラックナンバを表示させたり（例えば図９の例のマルチアクセスリストであれば『９，１０，１５，４，７』のような表示を行なう）、もしくは図１１の例のようにリスト名が付加されている場合は、そのリスト名を表示させるようにする。
【０１３６】
ユーザーがマルチアクセスリストの選択操作を実行したら、ステップF405からF406に進む。なおＡ管理領域内にマルチアクセスリストが１つしか記録されていなければ、ステップF404,F405 の処理を省略してステップF406の処理を行なってもよい。
【０１３７】
ステップF406では、選択されたマルチアクセスリストのトラック順で再生動作を実行するための設定として、内部レジスタへのマルチアクセスリストデータの取込、リストに記録されている各トラックの数字キーへの割り当てなどの必要な処理を行なう。例えば図９の例でいえば、数字キー３９における『１』キーに第１アクセストラックであるトラック＃９を、『２』キーに第２アクセストラックであるトラック＃１０を、『３』キーに第３アクセストラックであるトラック＃１５を、『４』キーに第４アクセストラックであるトラック＃４を、『５』キーに第５アクセストラックであるトラック＃７を、それぞれ割り当てる処理を行なう。
【０１３８】
つづいてステップF407で、そのマルチアクセスリストに含まれる全再生対象トラックについて、ディスク１からの先頭８秒分の音声データの読出を行ない、図３に示したバッファメモリ１３のマルチアクセスエリア１３に取り込んでいく。即ち、図９の例では、図３（ｂ）のようにトラック＃９，＃１０，＃１５，＃４，＃７のそれぞれについて、先頭８秒分の音声データが蓄積される。
【０１３９】
ここまでの処理を終えた時点で、マルチアクセス再生の準備ができたことになる。そして、ステップF408,F409 でのユーザー操作の監視ループに入る。
ユーザーが数字キー３９の１つである『ｍ』キーの操作を行なったら、ステップF408からF410に進む。『ｍ』キーとは、例えばそのマルチアクセスリスト上で第５アクセストラックまでが再生対象として設定されているのであれば『１』キー〜『５』キーのいずれかである。
【０１４０】
『ｍ』キーが押されたらシステムコントローラ１１は、その『ｍ』キーに対応する第ｍアクセストラックを即座に再生出力させることになる。このため第ｍアクセストラックの先頭からの音声データをバッファメモリ１３のマルチアクセスエリア１３ｂから読み出させ、音声出力させる。即ち『ｍ』キーが押された瞬間から８秒間はマルチアクセスエリア１３ｂに蓄積されているデータにより音声出力が行なわれる。これとともにステップF411で、ディスク１に対する再生動作の立ち上げ、アクセスその他の必要な処理を開始させ、第ｍアクセストラックのデータ読み出しを開始させる。この場合、例えば先頭から８秒となるデータ部分の少し前のデータから読み出しを開始させることが好ましい。このようにディスク１から読み出される音声データはバッファメモリ１３のバッファエリア１３Ａに蓄積させていく。
【０１４１】
もし第ｍアクセストラックとされているトラックが８秒以下のトラックであったら、マルチアクセスエリア１３Ｂからの読み出しデータのみで再生が終了してしまう。このような場合はステップF412で再生処理を終え、ステップF408,F409 でのユーザー操作の監視ループに戻る。
【０１４２】
ところが第ｍアクセストラックとされているトラックが８秒以上のトラックであったら、マルチアクセスエリア１３Ｂからの８秒分の音声データ読み出しが終了した時点でステップF413からF414に進み、バッファメモリ１３からの読み出し動作を、バッファエリア１３Ａからの読み出し動作に切り換える。即ちディスク１から読み出され蓄積されていた８秒目以降の続きの音声データを読み出していく。そして以降はそのトラックの再生が終了するまでバッファエリア１３Ａからの読み出しを継続する。即ちこれは通常の再生動作である。
【０１４３】
なお、ステップF410以降出力される再生音声に対してはデジタル信号処理部２１での音響処理等を加えることができるが、これはその第ｍアクセストラックに対応して記録されているリストトラックモードに応じて制御が行なわれることは上記プログラム再生の場合と同様である。
【０１４４】
再生が終了したら、ステップF415からステップF408,F409 でのユーザー操作の監視ループに戻る。
このような処理により、例えば図９の例のようなマルチアクセスリストが選択された場合は、次のような動作が実現される。
【０１４５】
例えば『１』キーが押されたら、その瞬間にマルチアクセスエリア１３Ｂからのトラック＃９の音声データの出力が開始される。そして８秒以降についてはディスク１から読み出されたトラック＃９の音声データによる音声出力が行なわれる。これによってユーザーからみれば、キーを押した瞬間にトラック＃９の再生が開始されるとともに、再生が８秒を過ぎても、そのまま通常の再生時と同様に再生出力が継続される。
【０１４６】
同様に『２』キーが押されたら、その瞬間にマルチアクセスエリア１３Ｂからのトラック＃１０の音声データの出力が開始され、また８秒以降についてはディスク１から読み出されたトラック＃１０の音声データによる継続した音声出力が行なわれる。
つまり任意の時点で『１』キーから『５』キーの内の任意のキーの操作を行なうことで、押した瞬間に必要な音声を出力させるということができる。
例えば演劇や放送などで、厳密なタイミングでの効果音の出力等に最適な動作となる。
【０１４７】
以上のようにマルチアクセス再生動作が実行される本例では、マルチアクセス再生の対象トラックはユーザーは一度設定を行なえば、そのマルチアクセスリストは上記図１４の処理で自動的にＵ−ＴＯＣセクター６に記録される。従って、その後の時点で、もう一度で以前に設定したものと同様のマルチアクセス再生を実行させたいような場合にも、単にマルチアクセスリストの選択を行なうだけでよく、毎回マルチアクセス設定操作を行なう必要はなくなる。また本例の場合最高１２８個のマルチアクセスリストを記録できるため、一度設定したマルチアクセスリストを保存したまま他のマルチアクセスリストを作成していき、多様なマルチアクセスリストを設定できる。そして状況に応じてマルチアクセスリストを使い分けてマルチアクセス再生を行なうといった操作も簡単に実行できる。
【０１４８】
さらにマルチアクセスリスト内にリストトラックモードとしてトラック毎に再生制御データを設定できる。このため、例えばマルチアクセスリストで再生対象とされている或るトラックだけは小さい音量で再生させたり、或るトラックではフェードアウトさせたいなどの再生状態制御などに関する要望がある場合に、それに対応した設定を行ない、再生時にその要望に応じた処理を自動的に実行できる。
【０１４９】
また上述のプログラムリストの場合と同様に、再生専用ディスクの場合にも適用でき、Ｐ−ＴＯＣセクター内でのＵ−ＴＯＣセクター６と概略同様のフォーマ
ットの領域を用意し、ディスク作成者側が各種多様なマルチアクセスリストを設定しておけば、ユーザーがその１つを選択してマルチアクセス再生を行なうといったことが実現できる。
【０１５０】
なお本例ではマルチアクセス再生のための各トラックの再生操作を、数字キー３９を利用して行なうようにしたが、マルチアクセス再生のための専用の操作キーを設けてもよい。
【０１５１】
なお、上記例ではミニディスク及びミニディスク記録再生装置において本発明を採用した例をあげたが、本発明は例えばＣＤ（Compact Disc）システム、ＤＶＤ（Digital Versatile Disc /  Digital Video Disc）システムなどの他のシステムでの記録媒体及び再生装置としても適用できるものである。
【図面の簡単な説明】
【０１５２】
【図１】本発明の実施の形態の記録再生装置の外観図である。
【図２】実施の形態の記録再生装置のブロック図である。
【図３】実施の形態の記録再生装置のバッファメモリの説明図である。
【図４】ディスクのＵ−ＴＯＣセクター０の説明図である。
【図５】ディスクのＵ−ＴＯＣセクター０のリンク形態の説明図である。
【図６】ディスクのＵ−ＴＯＣセクター６の説明図である。
【図７】ディスクのＵ−ＴＯＣセクター６のスロットの説明図である。
【図８】ディスクのＵ−ＴＯＣセクター６の管理形態の説明図である。
【図９】ディスクのＵ−ＴＯＣセクター６の管理形態の説明図である。
【図１０】ディスクの内容及びプログラム設定、マルチアクセス設定例の説明図である。
【図１１】ディスクのＵ−ＴＯＣセクター６の他の管理形態の説明図である。
【図１２】実施の形態の記録再生装置のプログラム設定モードの際の処理のフローチャートである。
【図１３】実施の形態の記録再生装置のプログラム再生モードの際の処理のフローチャートである。
【図１４】実施の形態の記録再生装置のマルチアクセス設定モードの際の処理のフローチャートである。
【図１５】実施の形態の記録再生装置のマルチアクセス再生モードの際の処理のフローチャートである。
【符号の説明】
【０１５３】
１  ディスク、３  光学ヘッド、１１  システムコントローラ、１３  バッファメモリ、１９  操作部、２０  表示部、２１  デジタル信号処理部、２７  ジョグダイヤル、３９  数字キー
【図１】
2005322411.tif 000003
【図２】
2005322411.tif 000004
【図３】
2005322411.tif 000005
【図４】
2005322411.tif 000006
【図５】
2005322411.tif 000007
【図６】
2005322411.tif 000008
【図７】
2005322411.tif 000009
【図８】
2005322411.tif 000010
【図９】
2005322411.tif 000011
【図１０】
2005322411.tif 000012
【図１１】
2005322411.tif 000013
【図１２】
2005322411.tif 000014
【図１３】
2005322411.tif 000015
【図１４】
2005322411.tif 000016
【図１５】
2005322411.tif 000017